(57)【要約】【課題】録画しようとする複数のコンテンツがコピーワンスで重複した同一コンテンツとなる場合、過不足が生じないように録画する数を抑制して録画させる録画制御装置を提供する。【解決手段】放送される画像を含むコンテンツを複数録画する録画装置３Ａ〜３Ｃはネットワーク２を介して接続され、各録画装置３Ｉ（Ｉ＝Ａ〜Ｃ）は録画予約を含む録画の制御を行う録画予約制御装置６Ｉと実際にコンテンツの録画を行う記録装置５Ｉとを有する。各録画予約制御装置６Ｉは、ユーザにより録画の命令がされた複数のコンテンツが重複する同一コンテンツか否かを判定し、これに該当する場合にはさらに同一コンテンツがコピーワンスか否かの判定し、その判定結果に応じて実際に記録装置５Ａ〜５Ｃ全体で録画する録画数を抑制する。【選択図】図１
2009170962.tif 000002
【特許請求の範囲】
【請求項１】
放送される画像を含むコンテンツを複数受信する複数の放送受信装置と前記複数の放送受信装置で受信された複数のコンテンツを記録可能とする複数の記録装置とに情報の伝達が可能なネットワークを介してそれぞれ接続され、前記複数の記録装置に対するコンテンツの録画予約を含む録画の制御を行う録画予約制御装置と、
前記録画予約制御装置に設けられ、ユーザからの複数のコンテンツの録画予約を含む録画の命令に対して、前記複数のコンテンツが重複した同一コンテンツを含むか否かを判定する判定部と、
前記録画予約制御装置に設けられ、前記判定部により前記複数のコンテンツが重複した同一コンテンツを含むと判定された場合、該同一コンテンツを前記複数の記録装置全体で重複して録画する数を、前記同一コンテンツがコピーワンスか否かの判定結果に応じて抑制する録画抑制部と
を備えたことを特徴とする録画制御装置。
【請求項２】
放送される画像を含むコンテンツを複数受信する複数の放送受信装置と前記複数の放送受信装置で受信された複数のコンテンツを同時に記録可能とする記録装置とに、情報の伝達が可能なネットワークを介してそれぞれ接続され、コンテンツの録画予約を含む録画の制御を行う録画予約制御装置と、
前記録画予約制御装置に設けられ、ユーザからの複数のコンテンツの録画予約を含む録画の命令に対して、前記複数のコンテンツが重複した同一コンテンツを含むか否かを判定する判定部と、
前記録画予約制御装置に設けられ、前記判定部により前記複数のコンテンツが重複した同一コンテンツを含むと判定された場合、該同一コンテンツを前記記録装置で重複して録画する数を、前記同一コンテンツがコピーワンスか否かの判定結果に応じて抑制する録画抑制部と
を備えたことを特徴とする録画制御装置。
【請求項３】
放送される画像を含むコンテンツをそれぞれ複数受信する複数の放送受信装置及び複数の放送受信装置によりそれぞれ受信されたコンテンツをそれぞれ記録可能とする複数の記録装置にそれぞれ一体的に設けられ、コンテンツの録画予約を含む録画の制御を行う複数の録画予約制御装置と、
前記録画予約制御装置に設けられ、ユーザからの複数のコンテンツの録画予約を含む録画の命令に対して、前記複数のコンテンツが重複した同一コンテンツを含むか否かを判定する判定部と、
前記録画予約制御装置に設けられ、前記判定部により前記複数のコンテンツが重複した同一コンテンツを含むと判定された場合、該同一コンテンツを前記複数の記録装置全体で重複して録画する数を、前記同一コンテンツがコピーワンスか否かの判定結果に応じて抑制する録画抑制部と
を備えたことを特徴とする録画制御装置。
【請求項４】
前記判定部により前記複数のコンテンツが重複した同一コンテンツを含むと判定された場合における前記同一コンテンツがコピーワンスの場合、前記録画抑制部は、ユーザにより視聴用録画と保存用録画との選択設定に応じて、前記同一コンテンツの録画の数を、視聴用録画の設定数が１以上の場合には保存用録画の設定数＋１に、視聴用録画の設定数が０の場合には保存用録画の設定数に、それぞれ抑制することを特徴とする請求項１から３のいずれかに記載の録画制御装置。
【発明の詳細な説明】
【技術分野】
【０００１】
本発明は、情報の伝達が可能なネットワークに接続された環境でコンテンツの録画を行う録画制御装置に関する。
【背景技術】
【０００２】
現在、放送される画像を含むコンテンツを録画する録画装置としては、ハードディスク（ＨＤＤと略記）を記録装置に用いたＨＤＤレコーダが広く普及している。そして、ＨＤＤレコーダが家庭内に複数、存在しても、それぞれ録画予約情報が独立しているため、ユーザによる録画予約の指示、設定に対して、同一コンテンツの場合であっても全て録画している。  
画像を含むコンテンツは、一般に情報量が大きいため、同一コンテンツを重複して録画するような場合には、無駄なく録画できることが望まれる。  
例えば特許文献１には、放送サーバと、この放送サーバから配信されるストリーミングデータを、録画ファイルとして保存する複数のセットトップボックス（ＳＴＢと略記）とからなる通信システムが開示されている。
【０００３】
この通信システムにおいては、配信されるストリーミングデータを保存するために、録画の予約処理を行った場合には、これに先だって同一内容の予約処理を行う他のＳＴＢの有無を判断し、該当する他のＳＴＢが有る場合には、録画される録画ファイルを共有を設定する構成が開示されている。  
そして、この構成により、重複して録画ファイルを保存することを回避して、大容量の記録装置を必要としないようにしている。  
一方、デジタル放送においては、著作権保護の観点から放送されるコンテンツにコピーコントロール情報を付加して配信するようになってきている。代表的なコピーコントロール技術として、ＣＰＲＭ（Ｃｏｎｔｅｎｔ Ｐｒｏｔｅｃｔｉｏｎ ｆｏｒ Ｒｅｃｏｒｄａｂｌｅ Ｍｅｄｉａ）規格がある。
【０００４】
このＣＰＲＭ規格に従った場合には、コンテンツに含まれるコピーコントロール情報をチェックし、記録して良いか否かが判断される。コピーコントロール情報が付加されたコンテンツを記録するには、そのコピーコントロールに対応した録画装置若しくは記録装置を用いる必要がある。  
具体的には、「１回だけ記録可能（コピーワンス ：ＣｏｐｙＯｎｃｅ）」である旨のコピーコントロール情報が付加されたコンテンツ（コピーワンス コンテンツ）であれば、録画装置はそのコンテンツを記録を行うＨＤＤに記録することができる。その際、記録されたコンテンツのコピーコントロール情報は「コピー禁止（ＮｏＭｏｒｅＣｏｐｙ）」に置き換えられる。
【０００５】
コピー禁止である旨のコピーコントロール情報が付加されたコンテンツは、そのコンテンツをさらにコピーすることができない。そのため、ＨＤＤに一旦記録したコンテンツをＤＶＤ等の他の記録媒体に記録するには、コピーではなく、「ムーブ」を行い、元の記録媒体としてのＨＤＤから移動しなければならない。そして、この「ムーブ」の操作により、元の記録媒体としてのＨＤＤからコンテンツが消去される。  
従って、録画予約するコンテンツがコピーワンスの場合には、特許文献１のように同一コンテンツであるとして、単に録画される録画ファイルを共有に設定するのみでは適切に対応できない。  
例えば、同一コンテンツであるとして、単に録画される録画ファイルを共有に設定した場合には、あるユーザがその録画ファイルを他の記録媒体に移動した場合、元のＨＤＤから消去されるため、同一内容の予約処理を指示した他のユーザは、その録画ファイルを視聴出来なくなる等の欠点が発生する。  
つまり、特許文献１は、コンテンツがコピーワンスの場合には録画する数を適切に設定できなかった。
【特許文献１】２００５−１５１３２８号公報
【発明の開示】
【発明が解決しようとする課題】
【０００６】
本発明は上述した点に鑑みてなされたもので、録画しようとする複数のコンテンツがコピーワンスで重複した同一コンテンツとなる場合、過不足が生じないように録画する数を抑制して録画させる録画制御装置を提供することを目的とする。
【課題を解決するための手段】
【０００７】
本発明の一実施形態に係る録画制御装置は、放送される画像を含むコンテンツを複数受信する複数の放送受信装置と前記複数の放送受信装置で受信された複数のコンテンツを記録可能とする複数の記録装置とに情報の伝達が可能なネットワークを介してそれぞれ接続され、前記複数の記録装置に対するコンテンツの録画予約を含む録画の制御を行う録画予約制御装置と、前記録画予約制御装置に設けられ、ユーザからの複数のコンテンツの録画予約を含む録画の命令に対して、前記複数のコンテンツが重複した同一コンテンツを含むか否かを判定する判定部と、前記録画予約制御装置に設けられ、前記判定部により前記複数のコンテンツが重複した同一コンテンツを含むと判定された場合、該同一コンテンツを前記複数の記録装置全体で重複して録画する数を、前記同一コンテンツがコピーワンスか否かの判定結果に応じて抑制する録画抑制部とを備えたことを特徴とする。
【０００８】
本発明の一実施形態に係る録画制御装置は、放送される画像を含むコンテンツを複数受信する複数の放送受信装置と前記複数の放送受信装置で受信された複数のコンテンツを同時に記録可能とする記録装置とに、情報の伝達が可能なネットワークを介してそれぞれ接続され、コンテンツの録画予約を含む録画の制御を行う録画予約制御装置と、前記録画予約制御装置に設けられ、ユーザからの複数のコンテンツの録画予約を含む録画の命令に対して、前記複数のコンテンツが重複した同一コンテンツを含むか否かを判定する判定部と、前記録画予約制御装置に設けられ、前記判定部により前記複数のコンテンツが重複した同一コンテンツを含むと判定された場合、該同一コンテンツを前記記録装置で重複して録画する数を、前記同一コンテンツがコピーワンスか否かの判定結果に応じて抑制する録画抑制部とを備えたことを特徴とする。
【０００９】
本発明の一実施形態に係る録画制御装置は、放送される画像を含むコンテンツをそれぞれ複数受信する複数の放送受信装置及び複数の放送受信装置によりそれぞれ受信された各コンテンツをそれぞれ記録可能とする複数の記録装置にそれぞれ一体的に設けられ、コンテンツの録画予約を含む録画の制御を行う複数の録画予約制御装置と、前記録画予約制御装置に設けられ、ユーザからの複数のコンテンツの録画予約を含む録画の命令に対して、前記複数のコンテンツが重複した同一コンテンツを含むか否かを判定する判定部と、前記録画予約制御装置に設けられ、前記判定部により前記複数のコンテンツが重複した同一コンテンツを含むと判定された場合、該同一コンテンツを前記複数の記録装置全体で重複して録画する数を、前記同一コンテンツがコピーワンスか否かの判定結果に応じて抑制する録画抑制部とを備えたことを特徴とする。
【発明の効果】
【００１０】
本発明によれば、録画しようとする複数のコンテンツがコピーワンスで重複した同一コンテンツとなる場合にも、過不足が生じないように録画数を抑制して録画させることができる。
【発明を実施するための最良の形態】
【００１１】
以下、図面を参照して本発明の実施例を説明する。  
（実施例１）
図１は本発明の実施例１に係る録画制御装置を構成する録画制御システム１の構成を示す。この録画制御システム１は、例えば家庭内に設けられた、相互に情報の伝達が可能な接続手段としてのネットワーク２と、このネットワーク２に接続された複数、ここでは３個の録画装置３Ａ、３Ｂ，３Ｃとから構成される。  
各録画装置３Ｉ（Ｉ＝Ａ〜Ｃ）は、放送される画像を含むコンテンツを受信する放送受信装置としてのテレビジョンチューナ（ＴＶチューナと略記）４Ｉと、録画処理されたコンテンツを記録（録画）する例えばＨＤＤにより構成される記録装置５Ｉと、コンテンツの録画予約を含む録画の制御を行う録画予約制御装置６Ｉとが一体化されて構成されている。
【００１２】
つまり、各録画装置３Ｉは、具体的にはＨＤＤレコーダにより構成される。また、各録画装置３Ｉは、コンテンツを表示する表示装置としての例えば液晶ディスプレイ（ＬＣＤと略記）７Ｉにそれぞれ接続されている。  
また、各録画装置３Ｉは、ネットワークインタフェース（ネットワークＩ／Ｆ）８Ｉによりネットワーク２に接続されており、各録画予約制御装置６Ｉは、録画予約情報及び録画情報を共有することができるようになっている。  
また、各ＴＶチューナ４Ｉは、アナログの放送を受信する地上波アナログチューナ９Ｉと、デジタル放送を受信する例えば地上波デジタルチューナ１０Ｉを備えている。なお、地上波デジタルチューナ１０Ｉの代わりにＢＳデジタルチューナでも良いし、これら両方を備えた構成でも良い。
【００１３】
また、各ＴＶチューナ４Ｉは、受信したＴＶ信号を復調し、記録装置５Ｉで録画するための録画処理を行う録画処理部としての機能と、ＬＣＤ７Ｉで表示するための再生処理を行う再生処理部としての機能を有する録画・再生処理部１１Ｉを有する。  
また、各ＴＶチューナ４Ｉは、地上波デジタルチューナ１０Ｉによるデジタル放送のコンテンツを視聴及び録画するためのＢ−ＣＡＳカード１２Ｉを装着するスロットを有する。  
そして、１回のみコピーが可能なコピーワンスのコンテンツとなるデジタル放送のコンテンツを視聴する場合には、コピー制御信号で暗号化されて送信される信号をＢ−ＣＡＳカード１２Ｉの鍵情報を用いて復号し、録画・再生処理部１１Ｉを経てＬＣＤ７Ｉに画像を含むコンテンツを表示する。
【００１４】
また、このコンテンツを録画する場合には、コピー制御信号が「コピー不可］に書き換えられて、録画・再生処理部１１Ｉを経て記録装置５Ｉに記録され、それ以降デジタルコピーが出来なくなる。  
一方、地上波アナログチューナ９Ｉを用いてコンテンツの録画を行う場合には、コピーフリーとしてコピー回数が制限されることなく記録装置５Ｉに記録することができる。
【００１５】
また、各録画装置３Ｉにおける録画予約制御装置６Ｉは、録画予約を含む録画の制御を行うＣＰＵ１３Ｉを内蔵している。  
ＣＰＵ１３Ｉは、複数のユーザによりコンテンツの録画予約の場合を含む録画の命令が行われた場合、同じコンテンツ（同一コンテンツという）が重複して存在するか否かを判定する同一コンテンツ或いは重複コンテンツの判定部１４Ｉの機能を有する。
【００１６】
また、このＣＰＵ１３Ｉは、同一コンテンツが存在する場合には、さらに同一コンテンツがコピーワンスであるか否かの判定を行うコピーワンス判定部１５Ｉと、コピーワンスである場合、視聴用の録画目的であるか保存用の録画目的であるかの録画目的の判定部１６Ｉとの機能を有する。  
同一コンテンツがコピーワンスであるか否かの判定は、デジタル放送として受信した複数のコンテンツが、同じコンテンツがあるか否かにより判定する。このため、アナログ放送で受信した１つのコンテンツとデジタル放送で受信した１つのコンテンツとが同じ場合にはコピーワンスの同一コンテンツとは判定されない。  
そして、ＣＰＵ１３Ｉは、これらの判定部１４Ｉ〜１６Ｉの判定結果に応じて、録画制御システム１における記録装置５Ａ〜５Ｃに重複して記録するコンテンツ数を過不足なく録画するように、つまり重複して録画する数としての録画数を最小限に抑制して録画を行わせる録画抑制部１７Ｉの機能を有する。
【００１７】
この場合、各ＣＰＵ１３Ｉは、ネットワーク２を介して相互に情報の伝達が可能な状態で接続されており、ユーザによりそれぞれの録画装置３Ｉで録画予約される録画予約の情報と実際に録画する（及び録画された結果の録画済みの場合の）録画情報を共有する。
【００１８】
そして図１の１点鎖線で示すようにＣＰＵ１３Ｉは、”録画予約＆録画情報”を共有する。  
つまり、図２に示すように本実施例における各録画予約制御装置６Ｉは、録画予約＆録画情報の共有部１８を形成する。  
また、各録画予約制御装置６Ｉには、ユーザが録画予約等の指示操作や命令を行う図示しない操作部を有する。また、ユーザは、図１に示すように録画予約等の命令を行うリモートコントローラ（リモコンと略記）１９Ｉにより遠隔操作することもできる。
【００１９】
各ユーザにより録画予約がされる場合、各録画予約制御装置６ＩのＣＰＵ１３Ｉは、それぞれ録画予約するユーザ用フォルダに録画予約情報を生成し、そのユーザ用フォルダの予約情報を表示する。  
そして、各ユーザにより録画予約された情報は、録画制御システム１全体で録画予約情報として共有して管理される。また、録画予約された録画予約情報は録画予約された録画対象のコンテンツの放送が開始する時間になると録画の命令となり、この命令に従って実際に録画が行われる。また、その録画の開始により、録画予約情報は録画情報となる。    実際に録画が開始する前の場合、各録画予約制御装置６ＩのＣＰＵ１３Ｉは、各ユーザから録画予約の命令（或いは指示操作）が行われると、その時点以前での録画予約の情報を参照して、その録画予約を実質的に受け付けるか否か決定する。
【００２０】
この場合、同一コンテンツの録画予約が行われていないと判定した場合には、その録画予約を受け付ける決定をする。一方、同一コンテンツが他のユーザにより既に録画予約されている場合には、上述したようにその同一コンテンツがコピーワンスで有るか否か、視聴用或いは保存用のもので有るか等の判定を行う。  
そして、これらの判定結果により、録画予約を決定する。また、その決定された録画予約の情報は、逐次共通の録画予約情報として更新記録される。つまり、時間的に後の録画予約情報により、以前の録画予約情報が更新される。このようにして、録画制御システム１は、ユーザにより命令された場合における最新の録画予約情報を共有する。  
また、録画制御システム１は、最新の録画予約情報に従って録画を行い、録画情報を生成する。そして、その録画情報も、各録画予約制御装置６Ｉにより共有される。
【００２１】
また、ユーザにより、録画予約の命令が録画対象のコンテンツの放送開始の時間になる場合には、録画の命令として機能する。つまり、録画予約と録画とは、実質的に同じ機能となる場合もある。  
このようにして、本実施例に係る（録画制御装置を含む）録画制御システム１を構成する録画予約制御装置６Ａ〜６Ｃは、記録装置５Ａ〜５Ｃ全体でコンテンツを記録（録画）する場合に、重複する同一コンテンツが存在した場合、実際に録画する数としての録画数を最小限に抑制して録画を行わせる。  
また、ユーザにより、録画されたコンテンツの削除の指示操作や命令が行われた場合にも、録画予約制御装置６Ａ〜６Ｃは、共有した録画予約及び録画情報により適切に対応する。  
このような構成の録画制御システム１の動作を説明する。図３は、例えば全てコピーフリーである複数のコンテンツを録画する場合の動作説明図を示す。  
また、図３においては、３人のユーザＡ、Ｂ、Ｃがそれぞれ録画予約制御装置６Ａ〜６Ｃにより録画予約する場合の動作例として説明する。  
ネットワーク２を介しての接続により録画予約＆録画情報の共有部１８が形成された状態において、ユーザＡ〜Ｃにより録画予約される。図３に示す例では、
ユーザＡが、コンテンツＡ、コンテンツＢ、コンテンツＥ、コンテンツＦ
ユーザＢが、コンテンツＡ、コンテンツＣ、コンテンツＧ、コンテンツＨ
ユーザＣが、コンテンツＢ、コンテンツＣ、コンテンツＦ、コンテンツＨ
の録画予約をした場合を示している。  
この場合、ＣＰＵ１３Ａ，１３Ｂ．１３Ｃは、全てのコンテンツがコピーフリーであるため、重複する同一コンテンツは１つのみ録画するように録画数を抑制する。  
このため、上記の録画予約を行った場合、実際に録画するコンテンツは、１つづつのコンテツＡ〜Ｃ，Ｅ〜Ｈの６つとなり、重複しているコンテンツＡ、コンテンツＢ、コンテンツＣ、コンテンツＦ、コンテンツＨの５つのコンテンツはそれぞれ１つのみ録画するように録画数が抑制される。
【００２２】
そして、図３に示す例では、記録装置５ＡにはコンテンツＡ，Ｂ，Ｅ、Ｆが記録され、また記録装置５ＢにはコンテンツＣ，Ｇ，Ｈが記録され、また記録装置５Ｃにはいずれも記録されない。  
なお、本実施例においては、記録装置が５Ａ、５Ｂ、５Ｃに分離された構成であるが、（図３の点線で示すように）後述する実施例のように、１つの記録装置５で共有する構成にしても良い。  
このようにコンテンツがコピーフリーである場合には、重複する同一コンテンツを録画しないように抑制するようにしているので、記録装置５Ａ〜５Ｃの空き容量を有効に利用できる。
【００２３】
また、図４はコピーワンスのコンテンツを録画予約した場合の動作説明図を示す。図４の例では、簡単化のため、コピーワンスの１つのコンテンツを複数のユーザが録画予約した場合の動作説明図を示す。  
具体的に図４の例では
ユーザＡがコピーワンスのコンテンツを保存用に録画予約し、
ユーザＢがコピーワンスの同じコンテンツを視聴用に録画予約し、
ユーザＣがコピーワンスの同じコンテンツを視聴用に録画予約した場合を示している。  コピーワンスの場合には、録画予約制御装置６Ａ〜６Ｃ（のＣＰＵ１３Ａ〜１３Ｃ）は、同一コンテンツが存在する場合、視聴用、つまり視聴目的で録画予約されているか、保存用、つまり保存目的で録画予約されているかの判定を行う。
【００２４】
そして、視聴用のコンテンツに関しては、ＣＰＵ１３Ａ〜１３Ｃは、重複する同一コンテンツを１つのみ録画予約するように抑制し、保存用のコンテンツに関しては、全てのユーザ（この例では３人のＡ〜Ｃ）により録画予約されたそのコンテンツ数分だけ録画予約（或いは録画）するように抑制する。  
従って、図３の録画予約の場合には、１つのコンテンツを視聴用に録画予約し、かつ１つのコンテンツを保存用（ユーザＡ用）に録画予約する。そして、図４に示す例では、記録装置５Ａには保存用のコンテンツが１つ記録され、記録装置５Ｂには視聴用のコンテンツが１つ記録され、記録装置５Ｃにはコンテンンツが記録されない。  
コンテンツがコピーワンスの場合には、図４に示したように録画予約及び録画することによりユーザによる視聴及び保存目的に適切に対応した録画を行う。
【００２５】
次に図５を参照して、コンテンツを録画予約する動作を説明する。図５は複数のユーザがコンテンツを録画予約する一般化した動作のフローチャートを示す。  
録画制御システム１の動作が開始した場合、最初のステップＳ１に示すように、各ユーザは、リモコン１９Ｉ等からコンテンツの録画予約を行う。  
すると、各録画予約制御装置６ＩのＣＰＵ１３Ｉは、コンテンツの録画予約の指示を受け取ると、ステップＳ２に示すように、そのコンテンツが他のユーザがすでに録画予約した予約済みの同一コンテンツであるかの判定を行う。この判定は、この録画予約が行われた時に、その時以前に形成された録画予約＆録画情報の共有部１８における録画予約情報を参照することにより行うことができる。
【００２６】
そして、同一コンテンツの録画予約がされていない場合にはステップＳ３に示すように、ＣＰＵ１３Ｉは録画予約すると共に、その録画予約完了メッセージをＬＣＤ７Ｉ等で表示する（この場合、録画予約制御装置６Ｉに表示部を設けてその表示部で表示するようにしても良い）。  
また、この録画予約の情報は、共通の録画予約情報として録画予約＆録画情報の共有部１８に登録される。また、本実施例においては、録画予約制御装置６Ｉは、ユーザ単位の録画予約及び録画情報を管理する機能を有する。  
ステップＳ２において、同一コンテンツの録画予約済みの場合には、ステップＳ４に示すようにＣＰＵ１３Ｉは、その同一コンテンツがコピーワンスであるか否かの判定を行う。そして、コピーワンスであると判定した場合には、次のステップＳ５に進み、コピーワンスでないと判定した場合には、ステップＳ７に移る。
【００２７】
ステップＳ５においてＣＰＵ１３Ｉは、コピーワンスのコンテンツが視聴用或いは保存用のいずれで録画予約されるかの判定を行う。或いは、ユーザが視聴用或いは保存用のいずれで録画予約しているかの指定（設定）を行っていない場合には、その指定を行うようにメッセージの表示等を行う。  
そして、録画予約されたコンテンツが保存用の場合には、ステップＳ３に移り、視聴用の場合には、ステップＳ６に進む。つまり、保存用の場合には、同一コンテンツが重複しても、ユーザによる録画予約された数だけ、同一コンテンツを録画予約する。これに対して、以下のように視聴用の場合には、同一コンテンツの録画予約（録画）する数を実質的に１つに抑制する。  
ステップＳ６においてＣＰＵ１３Ｉは、他のユーザにより、視聴用の録画予約がされているかの判定を行う。
【００２８】
そして、ＣＰＵ１３Ｉは、視聴用の録画予約がされていないと判定した場合にはステップＳ３に移り、逆に視聴用の録画予約がされていると判定した場合には次のステップＳ７に進む。  
ステップＳ７においてＣＰＵ１３Ｉは、録画予約をせずに、他のユーザにより録画予約されている旨のメッセージ表示を行い、この処理を終了する。  
そして、この録画予約に従って録画開始時間になると、録画予約されたコンテンツの録画が実行されることになる。  
本実施例では、録画予約されたコンテンツが重複する場合、つまり同一コンテンツの録画予約（を含む録画）の命令がされた場合には、その同一コンテンツがコピーワンスであるか否か、より具体的には保存用のものであるか否かに応じて重複して録画する重複録画数を過不足が発生しないように（録画抑制部１７Ｉの機能により）抑制する。
【００２９】
このように抑制することにより、ユーザによる視聴及び録画に適切に対処できる。上述したように保存用に録画されたコピーワンスのコンテンツは、他の記録媒体等にムーブされる可能性がある。本実施例では、保存用のコピーワンスのコンテンツは、ユーザにより命令された数だけ、録画するようにしているので、ムーブされた場合にも他のユーザが困るようなことがない。  
一方、視聴用のコピーワンスのコンテンツは、同一コンテンツとして重複する場合には、コピーフリーのコンテンツの場合と同様に１つのみ録画するように録画数を抑制する。これにより、記録装置５Ａ〜５Ｃの空き容量（記録領域）を有効利用して記録ができる。  また、本実施例に係る録画制御システム１における録画したコンテンツを削除する場合の動作を次に説明する。
【００３０】
この場合、削除しようとするコンテンツがコピーワンスで、かつ保存用の場合には、その録画予約（を含む録画）の命令を行ったユーザにより、録画削除の指示が行われたコンテンツが削除されることになる。  
これに対して、削除しようとするコンテクツがコピーワンスで視聴用の場合、或いはコピーフリーである場合には、図６に示すフローチャートのような処理動作となる。  
この場合には、コンテンツがコピーワンスで視聴用の場合とコピーフリーである場合とのいずれにおいても同様の動作となるため、ここではコピーフリーの場合で説明する。    この動作が開始すると、最初のステップＳ１１においてユーザは、録画されている情報を参照して、録画されているコンテンツの削除命令（又は削除指示）を出す。
【００３１】
具体例として、例えば図３のようにユーザＡ、ユーザＢ，ユーザＣが録画予約を行った場合には、ユーザＡ、ユーザＢ，ユーザＣによる録画されたリストとして、図７に示す内容が表示される。図７に示すリストは、各録画予約制御装置６Ｉにより管理、生成されているユーザ用フォルダの録画情報である。  
録画予約制御装置６ＩのＣＰＵ１３Ｉは、ユーザによるこの削除命令を受け付ける。    次のステップＳ１２においてＣＰＵ１３Ｉは、削除命令されたコンテンツを他のユーザが予約しているものに該当するか（つまり、複数のユーザにより録画予約が重複して行われたものに相当する同一コンテンツであるか）否かの判定を行う。
【００３２】
そして、ＣＰＵ１３Ｉは、そのコンテンツが他のユーザが予約していないと判定すると、ステップＳ１３に示すようにそのコンテンツを削除する。一方、そのコンテンツが他のユーザが予約していると判定すると、ステップＳ１４に示す処理に移る。  
このステップＳ１４においてＣＰＵ１３Ｉは、そのコンテンツが予約したユーザ全てが削除命令を行ったものであるか、つまりユーザ全てが削除命令済みであるか、否かの判定を行う。  
そして、ユーザ全てが削除命令済みであると判定すると、ステップＳ１３に進み、逆にユーザ全てが削除命令済みでないと判定すると、ステップＳ１５に進む。  
ステップＳ１５においてＣＰＵ１３Ｉは、削除命令を保存する。この場合、コンテンツの削除命令を行ったユーザと共に、そのコンテンツに対する削除命令を保存する。この保存された情報は、ステップＳ１４の判定などに利用される。
【００３３】
次のステップＳ１６において、ＣＰＵ１３Ｉは、削除命令を出したユーザのフォルダ（ユーザ用フォルダ）から削除命令されたコンテンツを仮想的に削除する。そして、この処理を終了する。  
例えば図３のように録画を行った状態において、ユーザＢがコンテンツＡを削除する命令を行った場合で説明すると、このコンテンツＡは、ユーザＢ以外のユーザＡにおいても録画予約を行ったものに該当する。このため、ステップＳ１２の判定はＹＥＳ、ステップＳ１４の判定はＮＯとなり、ステップＳ１５及びＳ１６を行う。  
そして、この場合には、図７に示したユーザＢ用録画リストは、図８に示すようにコンテンツＡが（仮想的に）削除される。つまり、このユーザＢ用録画リストの情報を格納するフォルダからコンテンツＡが削除されるが、このコンテンツＡは実際には記録装置５Ａに記録されたままである。
【００３４】
この後に、さらにユーザＡがコンテンツＡの削除命令を行った場合には、ステップＳ１２の判定はＹＥＳとなりステップＳ１４に進む。そして、このステップＳ１４において、予約した全てのユーザＡ、Ｂが削除命令済みに該当することになり、ユーザＡの録画リストは図９のようになる。また、この場合の記録装置５Ａの記録されているコンテンツは、図９に示すようにコンテンツＡが削除されてコンテンツＢ，Ｅ，Ｆとなる。  
本実施例によれば、視聴用に重複したコピーワンスのコンテンツがある場合にも、１つのみ、つまり必要最小限となる分だけ録画予約及びその録画予約に従った録画を行うようにできる。従って、記録装置５Ａ〜５Ｃ全体の空き領域を有効に使用することが可能になる。
【００３５】
このように本実施例は、ユーザによりコピーフリー及びコピーワンスの録画対象となるコンテンツが重複して録画予約或いは録画の命令がされた場合にも、それぞれ必要最小限に重複を抑制して（換言すると過不足が生じないように）、録画数を決定して録画を行うことができようになる。  
このため、コンテンツを記録する記録装置全体の空き容量を有効に利用できる。また、重複するコンテンツがコピーワンスで保存用の場合には、保存用に設定された数の録画数で録画を行うようにしているので、そのコンテンツがムーブ（移動）される場合にも対応できる（ムーブしたユーザ以外のユーザの利用に支障が発生しない）。
【００３６】
（実施例２）
次に本発明の実施例２に係る録画制御システムを説明する。図１０は実施例２に係る録画制御システム１Ｂの構成を示す。  
図１に示した録画制御システム１においては、各録画装置３Ｉにそれぞれ録画予約制御装置６Ｉを設けた構成であったのに対して、図１０に示すこの録画制御システム１Ｂは、これらの機能を１つで行う共通の録画予約制御装置６を備えた構成にしている。  
つまり、図１０の録画制御システム１Ｂは、図１における各録画装置３Ｉから録画予約制御装置６Ｉを有しない構成の録画装置３Ｉ′と、ネットワーク２に接続される共通の録画予約制御装置６とを備える。録画予約制御装置６は、ネットワークＩ／Ｆ８を介してネットワーク２に接続される。
【００３７】
そして、この共通の録画予約制御装置６は、ネットワーク２を介して各録画装置３Ｉ′と情報を伝達可能に接続され、１点鎖線で示すように録画予約＆録画情報を共有する。    また、録画予約制御装置６は、例えばＣＰＵ１３を用いて構成され、このＣＰＵ１３は、上述したＣＰＵ１３Ａ〜１３Ｃが行っていた機能を共通に行う。  
つまり、このＣＰＵ１３は、図１に示した各判定部１４Ｉ〜１６Ｉの機能を共通して行う判定部１４〜１６と、これらの判定結果に応じて、録画制御システム１Ｂにおける記録装置５Ａ〜５Ｃに重複して記録するコンテンツ数を最小限に抑制する録画抑制部１７と、録画予約＆録画情報の共有部１８の機能を有する。
【００３８】
なお、ユーザは、リモコン１９Ｉ等により、録画装置３Ｉ′に対して視聴するコンテンツの選択指示、録画予約等を行うことができる。リモコン１９Ｉ等により録画装置３Ｉ′に送信されたユーザによる指示信号或いは情報は、例えば録画予約制御装置６にも送信される。そして、録画予約制御装置６は、この録画予約制御装置６が行う録画予約等の制御を行う。  
また、ユーザは、リモコン１９Ｉにより、録画予約制御装置６に対して直接、録画予約等の指示操作をすることもできる。その他の構成は、実施例１で説明した構成と同様である。  
本実施例によれば、１つの録画予約制御装置６により、実施例１と同様の動作を行うことができる。従って、実施例１とほぼ同様の効果を有すると共に、さらに１つの録画予約制御装置６とすることにより、低コストで録画制御システム１Ｂを実現できる。
【００３９】
（実施例３）
次に本発明の実施例３に係る録画制御システムを説明する。図１１は実施例３に係る録画制御システム１Ｃの構成を示す。  
この録画制御システム１Ｃは、図１０の録画制御システム１Ｂにおいてさらに各録画装置３Ｉ′を構成するＴＶチューナ４Ｉと記録装置５Ｉとを分離し、分離した各記録装置５Ｉを共通化して１つの記録装置５にした構成である。  
そして、この記録装置５もネットワークＩ／Ｆ８Ｅによりネットワーク２に接続される。  
実施例１及び実施例２までにおいては、放送される画像を含むコンテンツを受信するＴＶチューナ４Ｉ及び、受信されて録画処理されたコンテンツを記録する記録装置５Ｉとを備えた録画装置３Ｉ或いは３Ｉ′がそれぞれ構成されていた。
【００４０】
これに対して、本実施例に係る録画制御システム１Ｃにおいては、記録装置５は、ＴＶチューナ４Ｉと分離され（このため、ここではそのような録画装置として定義していない）、かつ接続手段としてのネットワーク２を介して接続される構成となっている。そして、記録装置５は、ホームサーバとして機能する。  
記録装置５は、図１０の場合のように録画処理されたコンテンツを記録する機能だけでも良いが、本実施例では録画・再生処理部１１の機能も備えた構成にしている。また、この記録装置５は、少なくとも２以上、つまり複数のコンテンツを同時に記録する機能を有する。
【００４１】
また、この記録装置５は、コピーワンスのデジタル放送の録画／再生に対応したＢ−ＣＡＳカード１２も装着される。  
そして、１つのＴＶチューナ４Ｉが複数のデジタル放送を同時に受信できる構成の場合（例えば地上波デジタル放送とＢＳデジタル放送とを同時に受信できる構成の場合）には、そのＴＶチューナ４Ｉが１つの録画処理部しか設けてない場合においても、記録装置５の記録・再生処理部１１の機能を用いて同時に複数のデジタル放送を録画することができるようにしている。
【００４２】
また、例えばＴＶチューナ４Ｃが録画・再生処理部１１Ｃを有しない場合（変形例の図１２において１１Ｃ′で示す）も、記録装置５に設けた録画・再生処理部１１の機能を用いてデジタル放送の録画等を行うこともできるようになる。また、記録装置５に設けられた録画・再生処理部１１として、複数の異なるコンテンツを同時に録画や再生を行える構成にしても良い。  
また、やはり変形例で示すように画像を含むコンテンツを表示する表示装置としての例えばＬＣＤ７をネットワークＩ／Ｆ８Ｆを介してネットワーク２に接続した構成の場合、記録装置５に録画したコンテンツを再生してＬＣＤ７で表示し、ユーザはこれを視聴することもできる。その他の構成は、図１０の場合と同様の構成である。  
本実施例は、実施例２の場合と同様に１つの録画予約制御装置６により、全ての録画予約と録画情報とを共有する。  
従って、１つの録画予約制御装置６により、実施例２と同様の動作や効果を得ることができる。
【００４３】
また、本実施例によれば、ＴＶチューナが視聴用の機能のみとなる構成の場合にも、記録装置５をホームサーバのように用いてコンテンツの録画や再生を行うことができる。    従って、本実施例は、実施例１或いは実施例２の効果を有すると共に、より拡張性のある形態でユーザが利用できる。  
なお、図１１の構成の変形例として、例えば記録装置５が録画予約制御装置６の機能を含めた構成にしても良い。図１２はその変形例の録画制御システム１Ｄの構成を簡略的に示している。なお、図１２においては、１つのＬＣＤ７のみをネットワーク２に接続した構成で示しているが、複数のＬＣＤ７をネットワーク２に接続しても良いし、図１１等のようにＴＶチューナ４Ａ，４Ｂにそれぞれ接続した構成にしても良い。この変形例は、図１１の録画制御システム１Ｃとほぼ同様の効果を有する。  
なお、上述した構成において、例えば情報を伝達可能に接続する接続手段は、有線のＬＡＮ等に限定されるものでなく、無線のＬＡＮなどのネットワークでも良い。また、他の情報の通信手段（伝達手段）により形成しても良い。  
また、上述した実施例等を部分的に組み合わせる等して構成される実施例も本発明に属する。
【図面の簡単な説明】
【００４４】
【図１】図１は、本発明の実施例１に係る録画制御システムの構成を示すブロック図。
【図２】図２は、複数の録画予約制御装置により形成される録画予約＆録画情報の共有部を示す図。
【図３】図３は、コピーフリーのコンテンツを録画予約する場合の動作説明図。
【図４】図４は、コピーワンスのコンテンツを録画予約する場合の動作説明図。
【図５】図５は、ユーザがコンテンツの録画予約した場合の動作のフローチャート。
【図６】図６は、ユーザがコンテンツの削除命令した場合の動作のフローチャート。
【図７】図７は、ユーザ用に生成される録画リスト例を示す説明図。
【図８】図８は、図７の録画リストの場合においてコンテンツＡの削除命令を行った場合の録画リスト例を示す説明図。
【図９】図９は、図８の状態においてさらにユーザＡがコンテンツＡの削除命令を行った場合の録画リスト例等を示す説明図。
【図１０】図１０は、本発明の実施例２に係る録画制御システムの構成を示すブロック図。
【図１１】図１１は、本発明の実施例３に係る録画制御システムの構成を示すブロック図。
【図１２】図１２は、実施例３の変形例に係る録画制御システムの構成を示すブロック図。
【符号の説明】
【００４５】
１…録画制御システム、２…ネットワーク、３Ａ、３Ｂ，３Ｃ…録画装置、４Ａ，４Ｂ，４Ｃ…ＴＶチューナ、５Ａ，５Ｂ，５Ｃ…記録装置、６Ａ，６Ｂ，６Ｃ…録画予約制御装置、１３…ＣＰＵ、１４，１４Ａ〜１４Ｃ…判定部、１５，１５Ａ〜１５Ｃ…コピーワンス判定部、１７，１７Ａ〜１７Ｃ…録画抑制部
【図１】
2009170962.tif 000003
【図２】
2009170962.tif 000004
【図３】
2009170962.tif 000005
【図４】
2009170962.tif 000006
【図５】
2009170962.tif 000007
【図６】
2009170962.tif 000008
【図７】
2009170962.tif 000009
【図８】
2009170962.tif 000010
【図９】
2009170962.tif 000011
【図１０】
2009170962.tif 000012
【図１１】
2009170962.tif 000013
【図１２】
2009170962.tif 000014